(57)【要約】  本発明は、トラベレータ、動く歩道、エスカレータ等の駆動装置における構造と、動く歩道等に備えられた手すりの手すりベルトを交換する方法とに関する。本発明の動く歩道等は、駆動装置（1）に加えて、手すりベルト（12）を備えた少なくとも１つの手すり（13）を有し、また駆動装置（1）は、少なくとも１つの駆動モータ（2）と、手すり（12）の支持部材（10）と、駆動モータ（2）の回転運動を支持部材（10）へつなぐ駆動ベルト（8）とを有する。支持部材は駆動ベルト（8）の使用に適した実質的に大径の支持用ホイール（10）である。本発明による方法によって、駆動ベルト（8）は、駆動ベルト（8）を支持用ホイール（10）上の設置溝（14）へ固定することによって定位置に配置されて、また支持用ホイール（10）を回転させることによって、駆動ベルト（8）を支持用ホイール（10）の周囲の定位置に配設される。本発明による動く歩道、移動する歩道、エスカレータ等の手すり（13）の手すりベルト（12）の支持部材は支持用ホイールであり、この支持用ホイールは、駆動ベルト（8）を定位置に配置するのに際し、支持用ホイールにある駆動ベルト（8）を支持用ホイールの縁上へつないで配置する連結要素（14）を有する。【選択図】図２
2009538805.tif 000002
【特許請求の範囲】
【請求項１】
トラベレータ、動く歩道またはエスカレータ等が駆動装置（1）と、手すりベルト（12）を備えた少なくとも１つの手すり（13）とを含み、該駆動装置（1）は少なくとも、駆動モータ（2）と、該手すりベルト（12）の支持部材（10）と、該駆動モータ（2）の回転運動を該支持部材（10）へつなぐ駆動ベルト（8）とを含む駆動装置（1）の構造において、前記支持部材は、前記駆動ベルト（8）によって使用されるよう配設された実質的に大径の支持用ホイールであり、該駆動ベルト（8）は、前記支持部材（10）の縁に取り付けられることを特徴とする駆動装置の構造。
【請求項２】
請求項１に記載の構造において、前記支持部材（10）の半径は、該支持部材（10）の部分における手すりベルト（12）のループの接触面である内面の湾曲部の半径と実質的に同じか、または該半径よりもせいぜい前記駆動ベルト（8）の厚さ分だけ小さいことを特徴とする駆動装置の構造。
【請求項３】
請求項１または２に記載の構造において、駆動ベルト（8）は前記支持部材（10）の縁へ取り付けられて、該駆動ベルト（8）の外面（15）は前記手すりベルト（12）の内面と摩擦接触することを特徴とする駆動装置の構造。
【請求項４】
請求項１または２に記載の構造において、前記支持部材（10）の外縁は前記手すりベルト（12）の内面と摩擦接触することを特徴とする駆動装置の構造。
【請求項５】
前記請求項のいずれかに記載の構造において、前記支持用ホイール（10）は連結要素（14）を含み、該連結要素にある前記駆動ベルト（8）は、該駆動ベルト（8）を定位置へ配置することに関連して、前記連結要素に連結されることを特徴とする駆動装置の構造。
【請求項６】
請求項５に記載の構造において、前記連結要素（14）は設置溝であり、該溝は前記支持用ホイール（10）の縁から実質的に内側へ延在し、該溝に対して前記駆動ベルト（8）は、該駆動ベルト（8）を定位置へ配置することに関連して、取り付けられることを特徴とする駆動装置の構造。
【請求項７】
トラベレータ、動く歩道、エスカレータ等の駆動装置（1）において、該トラベレータ等に含まれる手すり（13）の手すりベルト（12）の該駆動ベルト（8）を交換する方法において、前記駆動装置（１）は少なくとも、駆動モータ（2）と、手すりベルト（12）と、支持部材（10）と、駆動モータ（2）の回転運動を該支持部材（10）へつなげる駆動ベルト（8）とを含み、該方法は、前記駆動ベルト（8）を定位置へ配置するに際して、該駆動ベルト（8）を前記支持部材（10）へ取り付け、該駆動ベルト（8）が該支持部材（10）の周囲に配されるまで、該支持部材（10）をその回転軸を中心として回転させることを特徴とする手すりの手すりベルトの駆動ベルトを交換する方法。
【請求項８】
請求項７に記載の方法において、前記支持部材（10）で設置溝を前記駆動ベルトの連結要素（14）として用い、該駆動ベルトを定位置へ配置するに際して、前記駆動ベルト（8）を前記設置溝に取り付けることを特徴とする駆動ベルトを交換する方法。
【請求項９】
請求項７または８に記載の方法において、前記駆動ベルトを定位置へ配置するに際して、該駆動ベルト（8）を連結要素（14）として機能する設置溝へ案内して、前記支持部材（10）の縁へ、実質的には該支持部材（10）の周囲へ案内することを特徴とする駆動ベルトを交換する方法。
【請求項１０】
トラベレータ、動く歩道、エスカレータ等の手すり（13）の手すりベルト（12）の支持用ホイール（10）である支持部材において、該支持用ホイール（10）は、前記駆動ベルト（8）を定位置に配置するに際して、該支持用ホイール（10）にある該駆動ベルト（8）を該支持用ホイールの縁へつないで設置する連結要素（14）を含むことを特徴とする支持部材。
【請求項１１】
請求項１０に記載の支持部材において、前記連結要素（14）は設置溝であり、該溝は前記支持用ホイール（10）の縁から実質的に内側へ延在し、前記駆動ベルト（8）を定位置に配置するに際して、該駆動ベルト（8）は該溝に取り付けられることを特徴とする支持部材。
【発明の詳細な説明】
【詳細な説明】
【０００１】
本発明は、請求項１の前段に記載のトラベレータ等の駆動装置の構造と、請求項７の前段に記載のトラベレータ等に組み込まれた手すりの手すりベルトの駆動ベルトを交換する方法と、請求項１０の前段に記載のトラベレータ等の手すりの手すりベルトの支持部材とに関する。
【０００２】
トラベレータ、動く傾斜歩道、動く歩道は一般的に少なくとも１つの手すりを有し、その周囲に手すりベルトがループとして取り付けられている。この手すりは、乗客が自身を支えるのに用いることができ、また通常は、階段、傾斜歩道、もしくは歩道の実用パネルとほとんど同じ速度で移動する。従来技術の構造において、手すりの手すりベルトは、例えばパネルと同じ駆動装置で駆動される。駆動装置は一般的にシステムのいずれかの端部に配置される。手すりの手すりベルトは、レールの上を移動する少なくとも１つの支持部を有し、この上に乗客は自分の手を置くことができ、またレールの下縁端部と同じ面の実質的に見えないところで回転する戻り部、および支持部と戻り部との間のレールの両端部に、湾曲した屈曲部を有している。ベルトの屈曲部が端部に配設された屈曲ガイドを周回するとき、レールの端部で手すりベルトの進行方向が変わるが、従来技術では、これを、例えば複数の支持ロールを互いに適切な間隔で湾曲形状に配設することで行っていた。上述の支持ロールで構成される方式の１つが米国特許第 5,634,546号に開示されている。
【０００３】
米国特許第 5,117,960号には、例えば上述のようなトラベレータの形式における、トラベレータの手すりの手すりベルトの牽引機械装置が説明されている。この公報では、手すりベルトの戻り部に牽引装置が配され、この牽引装置は、手すりベルトの方へ互いに押し合う2つのベルトを有し、これら両者で閉ループを形成している。両ベルトは、ベルトによる閉ループの内側にある複数のバネ負荷式ロールによって手すりベルトに対して押し付けられる。手すりベルトの牽引ベルトは手すりベルトをこの手すりベルトの内面に対して押し付け、支持体として働くベルトは手すりベルトをその手すりベルトの外面に対して、すなわち乗客に見える面に対して押し付ける。この方式における問題は、多数のロールがあるため、構造に費用がかかり、かつ複雑になること、および多大な保守を必要とすることである。別の問題は、手すりベルトの外面を押圧する支持ベルトが、乗客に見える手すりベルトの外面を摩耗させ、それによって手すりベルトの稼動寿命を短くすることである。
【０００４】
米国特許第 6,450,317号にはトラベレータの手すりの手すりベルトの他の牽引装置が開示され、ここではパレットと手すりの手すりベルトの両方を同一の機械装置で動かしている。手すりベルトの外面、すなわち乗客に見える面は駆動モータによって回転される駆動ベルトと摩擦接触する。複数の圧搾ロールが手すりベルトを駆動ベルトに向けて内側へ押し、接触をより確実にしている。この方式における問題も、多数の圧搾ロールとガイドロールがあるため、構造に費用がかかり、かつ複雑になること、および多大な保守を必要とすることである。加えて、別の問題は手すりベルトの外面を押圧する駆動ベルトが乗客に見える手すりベルトの外面を摩耗させ、これによって手すりベルトの稼動寿命を短くすることにある。このような理由から、手すりの材料は摩耗に対する強い耐性を持つものにする必要があるが、このことは費用がかかる。
【０００５】
また国際特許出願第 WO2005/075332号には手すりベルトを動かす方式が開示されている。ここでは、駆動機械を回転させるベルトは、支持ロールの周囲に輪として取り付けられている。ベルトは、手すりベルトの内面と接触するように取り付けられているため、手すりベルトは支持ロールを周回するのと同時に動く。
【０００６】
本発明は、上述の欠点を解消し、手すりの手すりベルトの駆動ベルトが以前の方式ほど早く摩耗しないようにした、簡易で安価な、トラベレータ等の駆動機械における構造を実現することを目的とする。また、トラベレータ等に組み込まれた手すりの手すりベルトの駆動ベルトを、簡易で安価に交換する方法を実現することを目的とする。さらに、簡易で、省スペースで、保守が容易であって、設置または交換が容易な、トラベレータ等の手すりの手すりベルトの支持部材を実現することを目的とする。本発明の構造は請求項１の特徴段に開示したことを特徴とする。同様に、本発明による方法は請求項７の特徴段に開示したことを特徴とする。本発明による支持部材は請求項10の特徴段に開示したことを特徴とする。本発明の他の実施例はその他の請求項に開示したことを特徴とする。
【０００７】
本発明の実施例は、本願の明細書部分にも開示されている。本願に開示されている発明の内容は、特許請求の範囲に規定されているものとは別の形で規定することも可能である。また、本発明の内容は、特に表現あるいは内在するサブタスクの点から見た場合、または達成される利点あるいは一連の利点から見た場合、いくつかの別々の発明から成っていてもよい。その場合、特許請求の範囲に含まれる属性のいくつかは、別々の発明の概念からみて不必要であるかもしれない。同様に、本発明の各実施例に関連して説明したさまざまな細部を他の実施例で適用することができる。
【０００８】
本発明による構造の１つの利点は、手すりの手すりベルトの駆動ベルトと、機械装置に組み込まれたその他の部品とが迅速には摩耗せず、そのためこれらを交換する必要がなく、さらに機械装置が頻繁な保守を必要としないことにある。他の利点は、機械装置が簡易で、実施費用が安く、また部品が小さいため機械装置の組み立てが容易であることにある。また機械装置は、なかでも駆動ベルトの交換のため、手すりの幅方向に有利に薄く構成することができる。また本発明による構造は例えば本発明の方法を用いることで保守が容易である。本発明による方法の利点の１つは、手すりベルトもしくは手すりの駆動ベルトを迅速に、容易に、安い費用で設置または交換できることである。なぜなら、ベルト交換のためにフレーム構造を個々に分解する必要がないからである。本発明の支持部材の利点の１つは、ベルトを交換するためにフレーム構造を個々に分解する必要がないので、手すりの手すりベルトの駆動ベルトを迅速に、簡易に、かつ安い費用で設置または交換できることである。加えて、本発明による支持部材は、駆動ベルトが支持部材の縁を走行するので、手すりベルトの機械装置を簡易にでき、また薄い手すり構造にすることができる。
【０００９】
以下に、本発明をいくつかの実施例ならびに添付の図面を参照して詳細に説明する。
【００１０】
図１にトラベレータの一方の端部の側面図を示し、図２にその斜視側面図を示す。ここではトラベレータの駆動装置1およびその中に組み込まれている手すりの手すりベルトが配置され、駆動装置は少なくとも１つの電動機を有している。電動機には中心シャフト3が設けられ、また電動機は駆動モータ2として機能する。閉鎖されたベルト4はシャフト3にあるベルトホイールへ取り付けられ、ベルトはここから導かれて締め付けホイール5と伝動ホイール6とを周回する。ベルト4は閉ループを構成し、シャフト3にあるベルトホイール、ならびに締め付けホイール5および伝動ホイール6を周回して所望の張りを保って締め付けられている。駆動モータ2のシャフト3が回転すると、伝動ホイール6もベルト4を介して回転する。伝動ホイール6はトラベレータのパネルを、図示しないが用途に適した動力伝達方式によって動かすように配設されている。また、伝動ホイール6は駆動力を手すり13の手すりベルト12へ伝達するように配設され、この場合、駆動モータ2が同時に手すりの手すりベルト12を動かす。本発明による方式では、手すりの手すりベルト12の駆動装置1は実質的に手すり13の端部にあり、そこでは手すりベルト12がこの端部に配設されている屈曲ガイドを通過すると、手すりベルト12の走行方向が変わる。
【００１１】
また駆動ベルト8は、伝動ホイール6の回転シャフト7を周回するように配設され、シャフト7にあるベルトホイールから導かれて支持用ホイール10を周回する。この支持用ホイール10は、シャフト11で回転するよう取り付けられ、また手すりベルト12の支持部材として機能する。駆動ベルト8は、転向ホイール9の下を通過するように、シャフト7のベルトホイールと支持用ホイール10とを周回する閉ループを形成し、転向ホイールは、駆動ベルト8を締め付け、また駆動ベルト8の走行方向を変える。転向ホイール9の位置を調節することによって、駆動ベルト8を所望の張りで締めることができる。
【００１２】
手すりベルトの支持用ホイール10は、例えば大径の板状ホイールである。この直径は、支持用ホイールが手すりベルト12の屈曲部に適する屈曲ガイドを同時に形成するように寸法決めされている。構造上の方式にもよるが、支持用ホイール10の半径は、少なくとも支持用ホイール10と手すりベルト12との間の接触距離間において手すりベルト12のループの接触面となる内面の湾曲部の半径と実質的に同じ大きさであるか、または支持用ホイール10における手すりベルト12の湾曲部の半径よりもせいぜい駆動ベルト8の厚さ分だけ小さくした大きさである。
【００１３】
以下に詳細に説明する後段の方式において、手すりベルト12の屈曲部は支持用ホイール10を周回するように配設されるため、例えば手すりベルト12の接触面である内面と、支持用ホイール10の縁上の駆動ベルト8の外面15とが互いに摩擦接触する。駆動モータ2が伝動ホイール6を回転させると、支持用ホイール10も駆動ベルト8を介して回転する。駆動ベルト8と手すりベルト12とが互いに摩擦接触しているので、駆動ベルト8と手すりベルト12とが擦れ合った結果、支持用ホイール10が駆動ベルト8の牽引によって回転すると、手すりベルト12も動く。機械装置1のベルト変速装置は、トラベレータのパネルとその手すりベルト12が互いに所望の速度で動くよう取り付けられている。
【００１４】
ベルト4および8は、歯付ベルトであることが望ましく、これらのベルトに連結されたベルトホイールと支持用ホイールとは、これらのベルトに合った歯切りが施されていることが望ましい。
【００１５】
図３は、伝動ホイール6のシャフト7に配され、また支持用ホイール10の周囲にある駆動ベルト8の交換が開始されている状態を示す。手すり端部の保護被覆部または保護光沢部と、古い駆動ベルトとは既に取り除かれ、新しい駆動ベルト8が支持用ホイール10の周囲に掛設されようとしている。支持用ホイール10の一方の側には、連結要素として機能する設置溝14が、その縁から内方へ、望ましくは支持用ホイールの中心軸に向かって、実質的には半径方向に延在し、設置される新規ベルト8の一部がその上へ取り付けられる。設置溝14は支持用ホイール10の軸方向に十分に深くて、交換中はこの溝に駆動ベルト8を保持する。しかし、設置溝は軸方向に、支持用ホイール全体にわたって延在する必要はない。また、設置溝を適切に円形の縁にすることができ、詰物をその中に入れることができる。この詰物は駆動ベルトが定位置に配されている間にしか取り出されない。
【００１６】
図４は、新しい駆動ベルト8の設置が図３における状態よりもさらに進んでいる状態を示す。この場合、支持用ホイール10は矢印Aの方向にある程度回転していて、駆動ベルト8は手すり12と支持用ホイール10との間の溝14に沿って動いている。同時にベルト8は設置溝14の後方の支持用ホイール10上にわたって位置するようになる。
【００１７】
図５は、新しい駆動ベルト8の設置が完了した状態を示す。支持用ホイール10はすでにさらに回転し、設置溝14が動いてベルト8が設置溝から抜け出す。ここでは、新しい駆動ベルト8は、支持用ホイール10を周回し、転向ホイール9の下側で、伝動ホイール6のシャフト7にあるベルトホイールの周囲を通っている。
【００１８】
本発明による方法によって、手すりの駆動ベルト8は、例えば次のように交換される。まず、機械装置を保護している部品があれば、これらをその側部から取り外し、そこで交換が行われるように機械装置の作業ができる状態にする。これらの部品は、例えば機械装置の側部のフレームプレートである。その後、例えば古いベルト8を切断しおよびその位置から引き抜いて取り外す。次に、支持用ホイール10を、新しい駆動ベルト8の連結要素として機能する設置溝14の設置開始に適した位置へ回転させ、新規の駆動ベルト8を設置溝14へ取り付ける。この後、支持用ホイール10を手または適切な工具によって回転させて、新しい駆動ベルト8を支持用ホイール10上に配置し、最終的に、ベルト8を設置溝14から抜けさせる。この後、新規駆動ベルト8をさらに伝動ホイール6のシャフト7にあるベルトホイールの周りに、また転向ホイール9の下側に掛設し、転向ホイール9の位置を調整することによってベルト8を所望の張りになるように締め付ける。
【００１９】
本実施例においては、新規駆動ベルトによる古い駆動ベルトの交換のみを説明したが、当然、ベルトの交換以外の環境においても同様の構造および方法によって駆動ベルト8を定位置に配することが可能である。したがって、例えば装置の稼動に関しては、最初の設置の際に、定位置へ配すべき駆動ベルト8を同じように設置することができ、また、例えば保守もしくは他の作業に関しては、取り外したベルトを同じように定位置に入れ直すことができる。したがって、このような場合は新しい駆動ベルトを設置する必要はないが、その代わりに、前の駆動ベルトを使用可能である。一般的に、このことは駆動ベルト8の定位置への配置と称されている。
【００２０】
本発明による手すりの手すりベルトの支持部材は、図１〜５では参照番号10で示す。支持部材は支持用ホイール10であり、この縁に支持用ホイールの駆動ベルト8が取り付けられて走行する。支持用ホイール10は連結要素14を有し、これは駆動ベルト8を定位置へ配設するのに際して、支持用ホイール10と手すりベルトとの間で、支持用ホイール10にある駆動ベルト8をつないで支持用ホイール10の縁へ配設する。同図において、連結要素14は実質的に支持用ホイール10の縁から内側へ延在する設置溝であり、駆動ベルト8の定位置への配置に関連して、この設置溝へ駆動ベルト8が取り付けられる。上述した溝状の連結要素は簡易なものであり、実質的に場所をとらない。希望するのであれば、設置溝を一時的に詰物で覆うことが可能である。支持用ホイール10の縁に設置された駆動ベルト8の経路は、支持用ホイール10と手すりベルト12との間を通るように配設されて、その外面15が手すりベルト12の内面と擦れ合うように接触し、かつ内面が支持用ホイール10に対して接触することが望ましい。このことが支持用ホイール10と駆動ベルト8との間の接触面積、および駆動ベルト8と手すり12との間の接触面積を大きくする。本発明による支持用ホイール10を用いて駆動ベルト8の設置を本願のいたるところで説明した方法で行うことができる。重要なことは、設置すべき駆動ベルト8を設置溝14へはめ込んだ後、支持用ホイール10を回転させて、新規の駆動ベルト8を支持用ホイール10に配し、最終的に、ベルト8を設置溝14から抜けさせることである。この支持部材10の構造も本願のいたるところで説明している。
【００２１】
本発明による手すりベルトの支持部材は、駆動ベルト8が滑らかである実施例または駆動ベルトに歯切りがされている実施例などで利用可能である。したがって、駆動ベルト8は、その内面および/または外面を滑らかにすることもでき、または歯付きにすることもできる。駆動ベルト8の内面に歯切りを行った場合、支持用ホイールの外面にも適合する歯切りを行う。一実施例によれば、支持用ホイールの外縁に突起縁端部を構成して、これで少なくとも駆動ベルト8の一方の側であって支持用ホイールの縁の高さで、駆動ベルト8を縁に密着させて、駆動ベルト8を定位置に保持することを容易にすることができる。縁端部は駆動ベルトの厚さよりも狭くすることができ、この場合、上述したベルトにおける大きな接触面積は失われない。本発明の一実施例によれば、縁端部は駆動ベルト8以外の場所に、支持用ホイール10の縁の表面から延在する。この場合、摩擦によって派生した牽引力を支持用ホイールと手すりベルト12と間で生成させることができる。この場合の利点は、駆動ベルトの摩耗が小さいことである。
【００２２】
本発明は上述の実施例にのみ限定されることはなく、特許請求の範囲内で改変することができることは当業者には明らかである。したがって、例えば、新規の駆動ベルトを配設するために、これを上述の設置溝へはめ込むことによる以外の方法で支持用ホイールへ固定することができる。設置時に、ベルトを例えば適切な形式の固定要素を用いて支持用ホイールへ固定することができる。
【００２３】
さらに、新規の駆動ベルトを設置するためのさまざまな段階を上述した以外の順序で行うことができることは当業者にとって明らかである。例えば、開始時に新規の駆動ベルトを駆動ホイールのシャフトの周囲、および転向ホイールの下側に通すことができ、その後に、ベルトを支持用ホイールの周囲に通すことも可能である。
【００２４】
また、支持用ホイールの外輪だけを手すりベルトの接触面である内面に摩擦接触させることができるが、この場合、駆動ベルトが支持用ホイールの縁でさらに深くなることは当業者には明らかである。このような場合、手すりはこれが支持用ホイールの外縁により直接牽引されることによって動かされる。
【図面の簡単な説明】
【００２５】
【図１】トラベレータおよびその手すりの手すりベルトの駆動装置の側面図である。
【図２】トラベレータおよびその手すりの手すりベルトの駆動装置の斜視側面図である。
【図３】駆動ベルトが始動されている際のトラベレータおよびその手すりの手すりベルトの駆動装置の斜視側面図である。
【図４】図３に示す状態よりも後段で駆動ベルトの交換が行われている際のトラベレータおよびその手すりの手すりベルトの駆動装置の斜視側面図である。
【図５】駆動ベルトの交換が終わりの段階まで行われている際のトラベレータおよびその手すりの手すりベルトの駆動装置の斜視側面図である。
【図１】
2009538805.tif 000003
【図２】
2009538805.tif 000004
【図３】
2009538805.tif 000005
【図４】
2009538805.tif 000006
【図５】
2009538805.tif 000007
【国際調査報告】
2009538805.tif 000008
2009538805.tif 000009
2009538805.tif 000010
2009538805.tif 000011